(57)【要約】【課題】前板と底板の隙間が生じたり、前板の裏面側で底板上方の収納部としてのスペースが狭くなったり、底板の取り付け作業が困難である等の問題を解消することのできる引き出しの底板を前板への取り付ける取り付け構造を実現とする【解決手段】引き出し１の前板３に受け部材２を介して底板４が固定されており、この受け部材２は、前板３下端部の裏面に取り付けられ、底板４を水平方向に支持する上部受け片１２と下部受け片１１を有する銜え込み部６を備えており、受け部材２は、それ自体が収納部５となるとともに、その上方のスペースにおいて、前板３の裏面に別の収納部５材が取り付けられて収納空間として使用可能である。【選択図】図１
2009219643.tif 000002
【特許請求の範囲】
【請求項１】
前板に底板が固定されてなる引き出しであって、底板が受け部材を介して固定されており、受け部材は前板下端部の裏面に取り付けられているとともに、受け部材の上方のスペースが収納部として使用可能であることを特徴とする引き出し。
【請求項２】
請求項１記載の引き出しであって、受け部材は、底板を水平方向に固定する銜え込み部を備え、銜え込み部は底板の上面と下面を保持する上部受け片と下部受け片とを備えていることを持徴とする引き出し。
【請求項３】
請求項２記載の引き出しであって、銜え込み部の上部受け片が下部受け片より引き出しの後方に向けて長く形成されていることを特徴とする引き出し。
【請求項４】
請求項１から３のいずれか記載の引き出しであって、別の収納部を構成する収納部材の下面が、底板の上面より下方の位置に位置決めされていることを特徴とする引き出し。
【請求項５】
請求項１から４のいずれかに記載の引き出しであって、前板あるいは受け部材に防虫パッキンを備えていることを特徴とする引き出し。
【発明の詳細な説明】
【技術分野】
【０００１】
本発明は、引き出しに関し、前板（引き出し扉）の裏面に収納部を形成するとともに、引き出し底板を固定する収納受け部材を備えた引き出しに関する。
【背景技術】
【０００２】
従来、例えば、キッチンキャビネットの引き出しにおいて、引き出しの前板の裏面に収納部材（例えば、包丁差し等）を取り付けて、前板の裏面のすぐ後方のスペースを収納部として活用する構成は知られている。
【０００３】
底板は、左右の側板の内側の側面又は底面にボルト等の固定具で固定されている。このような引き出しの底板及び左右の側板を前板の裏面に一体的に取り付ける構造として、従来例を図７（ａ）〜（ｄ）に示す。この取り付け構造は、前板３の裏面に左右の側板１３、１４を、それぞれ取り付け金具３１（例えば、断面Ｌ型の金具）及びビスで固定する構成である。
【０００４】
このような従来の取り付け構造では、前板３の裏面に、引き出しの底板４及び左右の側板１３、１４を左右の部分で固定しているだけのために、引き出しの前板３を前方（使用者からみて手前側）に引いて引き出しを開いた際に、図７（ｄ）に示すように、前板３が前方に湾曲状に撓んで、前板３と底板４との間に隙間ｓが生じる場合があるという問題があった。特に、左右方向の幅（長さ）が大きい前板３の場合は、湾曲状の撓む度合いが著しいために、特に問題である。
【０００５】
そこで、図８（ａ）、（ｂ）に示すように、底板４の左右幅方向の中央部の下面を、固定金具３２（例えば、断面┐型の金具）及びビスで固定する構成すると、上記前板３と底板４との間に隙間が生じるという問題は解消できる。
【０００６】
しかしながら、図８（ｃ）に示すように、固定金具３２及びビスで固定する際に、前板３の裏面及び底板４の下面に固定金具３２を当接してビス止めするために、ビス止め工具３３（ドライバ工具）によって斜めから下方にビス止め作業をしなくてはならないので、作業がきわめて困難であるという問題がある。
【０００７】
また、図８（ａ）、（ｂ）に示すように、固定金具３２によって底板４を前板３に固定する構成を採用する場合には、底板４を前板３の裏面の下縁から寸法ｈだけ上方に取り付け、固定金具３２を取り付けるための上下方向の高さｈのスペースを設ける必要がある。その結果、前板２の裏面のすぐ後方であって底板４の上方の部分における、収納に当てることのできるスペースが小さくなり、収納量が少なくなる。
【０００８】
例えば、図８（ｄ）、（ｅ）に示すように、前板３の裏面の底板４の上方に、収納部材として包丁差し３４を取り付ける構成を考えると、底板４が前板３の下縁より上方に取り付けられるために、底板４より上方のスペースが狭くなり、従って、包丁差し３４の上下方向の寸法を小さくしなくてはならない。
【０００９】
そのため、包丁差し３４を、包丁２２が水平に近づくように、より大きく傾斜して収納する構成に設計しなくてはならない。しかし、余り大きく傾斜した包丁差し３４にすると、包丁差し３４に収納できる包丁２２の本数が少なくなり、また傾斜しすぎると使用者が差し入れ及び取り出しが困難となり使用しにくい。
【００１０】
なお、棚板を垂直の壁面に水平に固定する棚板取付装置において、断面略コ字型の溝型部材に、棚板を差し入れて固定し、しかも配線を収納する化粧部材を設けた構成は、公知である（特許文献１参照）。                
【００１１】
【特許文献１】特開２００７−３０９号公報
【発明の開示】
【発明が解決しようとする課題】
【００１２】
上記のとおり、従来例では、前板と底板の隙間が生じる問題が生じたり、また、底板の底面を固定金具で前板に固定する場合は、底板上方の収納部としてのスペースが狭くなったり、作業が困難である等の問題があるが、本願発明は、このような従来の問題を解決することを課題とし、底板の前板への取り付けが簡単で、しかも底板上方の収納部としてのスペースを広く使用できる引き出しの前板への取り付け構造を実現するものである。
【課題を解決するための手段】
【００１３】
本発明は上記課題を解決するために、前板に底板が固定されてなる引き出しであって、底板が受け部材を介して固定されており、受け部材は前板下端部の裏面に取り付けられているとともに、受け部材の上方のスペースが収納部として使用可能であることを特徴とする引き出しを提供する。
【００１４】
受け部材は、底板を水平方向に固定する銜え込み部を備え、銜え込み部は底板の上面と下面を保持する上部受け片と下部受け片とを備えている構成としてもよい。
【００１５】
銜え込み部の上部受け片が下部受け片より引き出しの後方に向けて長く形成されている構成としてもよい。
【００１６】
別の収納部を構成する収納部材の下面が、底板の上面より下方の位置に位置決めされている構成としてもよい。
【００１７】
前板あるいは受け部材に防虫パッキンを備えている構成としてもよい。
【発明の効果】
【００１８】
本発明の引き出しによれば、底板の前板への取り付けが簡単で、しかも底板上方の収納部としてのスペースを広く使用できるという効果が生じる。
【発明を実施するための最良の形態】
【００１９】
本発明に係る引き出しを実施するための最良の形態を実施例に基づき図面を参照して、以下説明する。
【実施例１】
【００２０】
本発明に係る引き出しの実施例１を、図１〜３において説明する。図１（ａ）、（ｂ）は、本発明に係る引き出し１において使用される受け部材２を示す。この受け部材２は、図１（ｃ）に示すように、引き出し１の前板３の裏面に、引き出し１の底板４（想像線で示す。）を、ビスで水平に固定するための部材である。
【００２１】
受け部材２は、アルミニウム等の金属材を押出加工して形成したり、又は樹脂材を押出成形することにより製造する。受け部材２は、引き出し１の前板３の左右横幅方向に長尺状に伸びるように形成されている。
【００２２】
受け部材２は、図１（ａ）、（ｂ）に示すように、収納部５と銜え込み部６とから一体に形成されている。収納部５は、断面が上方に向けて凹部７が形成されている。凹部７の前壁８には、長手方向に適宜間隔でビス孔が形成されている。
【００２３】
銜え込み部６は、収納部５の後壁９と一体に形成され、断面が後方に向けて凹部１０が形成されている。銜え込み部６の凹部１０は、下部受け片１１と上部受け片１２とを有する。下部受け片１１には、長手方向に適宜間隔でビス孔が形成されている。
【００２４】
引き出し１の底板４の左右両側の側面に、図１（ｃ）に示すように、それぞれ左右の側板１３、１４が、底板４の前端より前方に収納部５の前後方向の幅ｔ（図２（ｂ）参照）だけ突出するようにして、ビスなどで固定されている。したがって、引き出し１の底板４は、側板１３、１４と受け部材２で支持されており、底板４の荷重は側板１３、１４が大部分を受け、一部を受け部材２が受ける状態となっている。このような底板４と左右の側板１３、１４を、引き出し１の前板３の裏面側にに固定して引き出し１を組み立てる場合は次のとおりする。
【００２５】
前板３の裏面に下縁に沿うように、受け部材２の前壁８を当接してビスで長手方向（左右横幅方向）に間隔をおいて固定する。そして、底板４の前端部１５を銜え込み部６に挿入し、左右の側板１３、１４を前板３の前端面を裏面に当接する。
【００２６】
この状態で、ビスで下部受け片１１を底板４の下面に長手方向（左右横幅方向）に間隔をおいて固定する。これによって、図１（ｃ）及び図２に示すように、底板４と左右の側板１３、１４を、引き出し１の前板３の裏面に固定して引き出し１を組み立てることができる。
【００２７】
（作用）
上記構成から成る実施例１の引き出し１の作用を説明する。この実施例１の引き出し１によると、受け部材２の前壁８は、前板３の裏面に長手方向に間隔をおいてビスで固定され、さらに受け部材２の銜え込み部６の下部受け片１１は底板４に長手方向に間隔をおいてビスで固定されているので、受け部材２により前板３には剛性が付与され、前板３を前方に引いても湾曲状に撓みにくくなり、従って、底板４との間に隙間が生じるようなことはない。
【００２８】
実施例１の使用態様を図３で説明する。図３（ａ）に示すように、受け部材２の収納部５に調味料等の小物１６を入れて収納することができる。また、図３（ｂ）に示すように、前板３の裏面において受け部材２の上方にコの字型の支持杆１７、仕切片１８を取り付けることで、皿１９やラップ材２０などを収納部５の凹部７上に置いて、支持杆１７で支持させて収納することができる。
【００２９】
また、図３（ｃ）に示すように、前板３の裏面において、受け部材２の収納部５の上方に、別の収納部を構成する収納部材として包丁差し２１を取り付ける構成としてもよい。この場合は、従来例と異なり、受け部材２の収納部５は凹部７が形成されているから、収納部材である包丁差し２１は、その下面が収納部５の凹部７内まで下げて、底板４の上面よりさらに下方の位置になるように取り付けることができる。
【００３０】
そのため、包丁差し２１の上下方向の寸法をより大きく取ることができるから、包丁差し２１の包丁２２の差し込み傾斜方向を、図３（ｃ）に示すように、従来例の場合（図８（ｄ）参照）に較べて、垂直方向に近づけることができる。その結果、使用者は、収納スペースを左右方向に小さくできる割に包丁２２の差し込み本数を増やすことができ、また包丁２２の差し込み取り出しがし易くなる。
【実施例２】
【００３１】
図４は、本発明に係る引き出しの実施例２を説明する図である。この実施例２は、実施例１とほぼ同じ構成であるから、異なる構成を中心に説明する。この引き出し４１では、受け部材２は、図４（ａ）に示すように、収納部４５と銜え込み部４６とから一体に形成されている。収納部４５は、断面が上方に向けて凹部４７が形成されている。銜え込み部４６は、収納部４５の後壁４９と一体に形成され、断面が後方に向けて凹部５０が形成されている。
【００３２】
銜え込み部４６の凹部５０は、下部受け片５１と上部受け片５２とを有する。上部受け片５２は、図４（ａ）に示すように、下部受け片５１より後方に向けてより長く形成されている。そして、底板４の前端部１５は、図４（ｂ）に示すように、銜え込み部４６に差し込むだけで、ビス止めしない構成とする。
【００３３】
受け部材４２をこのような構成にすると、底板４を受け部材４２の下部受け片５１にビス止めする作業が省ける。また、受け部材４２の前壁４８は、実施例１と同様に、前板３にビスで固定されることで、前板３は剛性が付与され、前板３を前方に引き出した際に前板３が撓みにくくなる。
【００３４】
仮に前板３が撓んで、図４（ｃ）に示すように、底板４に対して上部受け片５２が相対的に前方に移動しても、上部受け片５２が後方に向けて長く伸びているから、上部受け片５２と底板４との間に隙間が生じるようなことがない。
【実施例３】
【００３５】
図５及び図６は、本発明に係る引き出しの実施例３を説明する図である。この実施例３は、実施例１とほぼ同じ構成であるが、防虫パッキンを備えた構成としている点に特徴があり、以下、特に実施例１と異なる構成を中心に説明する。受け部材で底板を前板に取り付け、しかも防虫パッキンを備えた構成としてはいろいろな構成が考えられる。
【００３６】
図５（ａ）は、実施例１における構成と同じ受け部材２に防虫パッキン２３を取り付けた構成としている。即ち、受け部材２の下面に、ゴム又は樹脂で形成された断面Ｌ型の防虫パッキン２３を接着剤で貼着した構成を示している。図６（ａ）は、このような受け部材２に底板４を取り付けた引き出し６１の構成を示している。
【００３７】
図６（ｂ）は、防虫パッキン２３の左右方向の横幅を受け部材２の横幅と同じとした構成を示している。図６（ｃ）は、防虫パッキン２３の左右方向の横幅を前板３の横幅と同じとした構成を示しており、図６（ｃ）に示す防虫パッキン２３の方がより防虫効果が大きい。
【００３８】
このようにして設けた防虫パッキン２３は、前板３及びその下方の前板２４の裏面側に当接し、前板３及びその下方の前板３の間の隙間２５を塞ぎ、虫が引き出し６１内に入り込むことを防止することができる。
【００３９】
従来は、防虫パッキン２３は、前板３の下端の裏面に取り付けていたためその分、底板４を上方に位置させるため収納スペース（上下方向に１０ｍｍ程度）が取られていたが、この実施例３のような構成とすると、収納スペースが少なくなることはない。
【００４０】
図５（ｂ）は、受け部材６２の下面に一体に防虫パッキン装着用フック２６を形成し、このフック２６内に断面Ｌ型の防虫パッキン２７を挿入して接着剤で固定した構成を示している。
【００４１】
図５（ｃ）は、前板３に平板状の防虫パッキン２８を接着剤で貼着した構成を示している。この場合は、受け部材６３の前壁６４の前面に切り欠き２９を形成し、この切り欠き２９に平板状の防虫パッキン２８の上部を嵌合するとよい。また、防虫パッキン２８をこの切り欠き２９に嵌合して接着剤で貼着した構成としてもよい。
【００４２】
図５（ｄ）は、受け部材６５と一体で防虫パッキン３０を形成した構成を示している。これは、受け部材２を樹脂で形成した場合は特に効果的である。
【００４３】
以上、本発明に係る引き出しを実施するための最良の形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００４４】
本発明に係る引き出しは上記のような構成であるから、キッチンのキャビネット、洗面用のキャビネット、作業用のキャビネット等に適用可能である。
【図面の簡単な説明】
【００４５】
【図１】本発明に係る引き出しの実施例１を説明する図であり、（ａ）は受け部材の斜視図、（ｂ）は受け部材の断面図、（ｃ）は引き出しの斜視図である。
【図２】（ａ）は実施例１の前板の裏面側から見た正面図、（ｂ）は（ａ）のＡ−Ａ断面図、（ｃ）は（ｂ）の要部拡大図である。
【図３】実施例１の使用の態様を説明する図であり、（ａ）は受け部材に小物を収納した状態を示し、（ｂ）は皿、ラップを収納した状態を示す図であり、（ｃ）は前板の裏面で受け部材の上方に包丁差しを取り付けた状態を示す図である。
【図４】（ａ）は実施例２に使用する受け部材の断面図であり、（ｂ）は本発明に係る引き出しの実施例２の構成を説明する図であり、（ｃ）は実施例２の作用を説明する図である。
【図５】実施例３のいろいろな態様を説明する図であり、（ａ）〜（ｄ）は実施例３に使用されるいろいろな形状の受け部材である。
【図６】実施例３の引き出しの構成を示し、（ａ）は断面図、（ｂ）、（ｃ）は前板の裏面側から見た正面図である。
【図７】従来例を説明する図であり、（ａ）は前板の裏面側から見た正面図、（ｂ）は側面図、（ｃ）、（ｄ）は平面図である。
【図８】別の従来例を説明する図であり、（ａ）は前板の裏面側から見た正面図、（ｂ）、（ｃ）は（ａ）のＡ−Ａ断面図であり、（ｄ）は包丁差しを取り付けた状態を示す前板の裏面側から見た正面図であり、（ｅ）は（ｄ）のＢ−Ｂ断面図である。
【符号の説明】
【００４６】
１、４１、６１  引き出し                                                      
２、４２、６２、６３、６５  受け部材                                          
３  前板                                                                      
４  底板                                                                      
５、４５  受け部材の収納部                                                    
６、４６  受け部材の銜え込み部                                                
７、４７  受け部材の上方に向いた凹部                                          
８、４８、６４  受け部材の前壁                                                
９、４９  受け部材の後壁                                                      
１０、５０  受け部材の後方に向いた凹部                                        
１１、５１  下部受け片                                                        
１２、５２  上部受け片                                                        
１３、１４  引き出しの左右の側板                                          
１５  底板の前端部                                                            
１６  小物                                                                    
１７  支持杆                                                                  
１８  仕切片                                                                  
１９  皿                                                                      
２０  ラップ材                                                                
２１  包丁差し                                                                
２２  包丁                                                                    
２３、２７、２８  防虫パッキン                                              
２４  下方の前板                                                              
２５  上下の前板間の隙間                                                      
２６  防虫パッキン装着用フック                                              
２９  受け部材の切り欠き                                                      
３０  受け部材と一体で形成された防虫パッキン
３１  取り付け金具
３２  固定金具
３３  ビス止め工具（ドライバ工具）
３４  包丁差し                  
【図１】
2009219643.tif 000003
【図２】
2009219643.tif 000004
【図３】
2009219643.tif 000005
【図４】
2009219643.tif 000006
【図５】
2009219643.tif 000007
【図６】
2009219643.tif 000008
【図７】
2009219643.tif 000009
【図８】
2009219643.tif 000010